(57)【要約】【課題】レンズ部材を光軸方向に重ねて配置する場合の累積誤差を軽減できるレンズユニットおよびカメラモジュールを提供する。【解決手段】第２レンズ部材７のフランジ部７ｂが第１レンズ部材８の嵌合部８１に嵌合され、第２レンズ部材７のフランジ部７ｂは第３レンズ部材６によって嵌合部８１に押し付けられているので、従来と異なり第１レンズ部材８のフランジ部８ｂと第３レンズ部材６のフランジ部６ｂとの間に中間環を設ける必要がない。このため、中間環の製造上や組立上の誤差を考慮することなく、第１レンズ部材８、第２レンズ部材７および第３レンズ部材６を光軸方向において位置決めできる。したがって、従来に比してレンズ部材６〜８を光軸方向に重ねて配置する場合の累積誤差を軽減できる。【選択図】図１
2018197820.tif 000002
【特許請求の範囲】
【請求項１】
光軸に沿って並べられた３個以上のレンズ部材と、これらレンズ部材が収容される鏡筒とを備えたレンズユニットであって、
前記レンズ部材として、外周部にそれぞれフランジ部を有する第１レンズ部材、第２レンズ部材および第３レンズ部材を備え、
前記第１レンズ部材に光軸方向において前記第２レンズ部材が隣り合い、この第２レンズ部材に光軸方向において前記第３レンズ部材が隣り合っており、
前記第１レンズ部材および前記第３レンズ部材は、それぞれの前記フランジ部の外周面が前記鏡筒の内周面に当接または圧接された状態で前記鏡筒に収容され、
前記第１レンズ部材は、前記第２レンズ部材の前記フランジ部が嵌合される嵌合部を備え、
前記第２レンズ部材の前記フランジ部が前記嵌合部に嵌合され、
前記第２レンズ部材の前記フランジ部は、前記第３レンズ部材によって前記嵌合部に押し付けられていることを特徴とするレンズユニット。
【請求項２】
前記嵌合部は、前記第２レンズ部材のフランジ部のフランジ面が設置される設置面と、前記第２レンズ部材の前記フランジ部の外周面が当接される当接面とを備えていることを特徴とする請求項１に記載のレンズユニット。
【請求項３】
前記第２レンズ部材の前記フランジ部に、前記設置面、前記当接面および前記第３レンズ部材の前記フランジ部に接触しない凸部が設けられていることを特徴とする請求項３に記載のレンズユニット。
【請求項４】
前記第３レンズ部材が前記第２レンズ部材の前記フランジ部に接触している接触部と、前記第２レンズ部材の前記フランジ部が前記嵌合部に接触している接触部とは、それらの少なくとも一部が前記光軸方向において重なっていることを特徴とする請求項１〜３のいずれか１項に記載のレンズユニット。
【請求項５】
前記第１レンズ部材の前記フランジ部と、前記第３レンズ部材の前記フランジ部との間に前記光軸方向において所定の隙間が設けられていることを特徴とする請求項１〜４のいずれか１項に記載のレンズユニット。
【請求項６】
請求項１〜５のいずれか1項に記載のレンズユニットを備えていることを特徴とするカメラモジュール。
【発明の詳細な説明】
【技術分野】
【０００１】
本発明は、レンズユニットおよびこのレンズユニットを備えるカメラモジュールに関する。
【背景技術】
【０００２】
近年、自動車に車載カメラを搭載し、駐車をサポートしたり、画像認識により衝突防止を図ったりすることが行われており、さらに自動運転への応用が試みられている。
このような車載カメラ等のカメラモジュールは、一般的に、複数のレンズ部材が光軸に沿って並べられてなるレンズ群と、このレンズ群が収容される鏡筒と、レンズ群の少なくとも一個所のレンズ部材間に配置される絞り部材とを有するレンズユニットを備えている。
【０００３】
従来のレンズユニットの一例として、特許文献１に記載のものが知られている。このレンズユニットにおいては、４枚のプラスチックレンズ部材が、プラスチックの鏡筒に光軸方向をそれぞれ揃えて一列に並べられた状態に保持されている。また、これらレンズ部材はそれらの外周のフランジ部の外周面が鏡筒の内周面に当接または圧接されることによって、径方向の位置決めがなされ、光軸方向に隣り合うレンズ部材のフランジ部どうしが直接または平板環状の絞り部材を介して間接的に当接されることによって、光軸方向の位置決めがなされている。
【０００４】
上述した従来のレンズユニットにおいて、ガラスレンズとプラスチックレンズが混在している場合、プリフォームを用いたガラスモールドによるガラスレンズは、例えば図６に示すレンズ部材５１のように、外周のフランジ部５１ｂを径方向外側に向けて大きく延出できない。そこで、当該フランジ部５１ｂの外側に中間環５５を配置し、この中間環５５の内周面にフランジ部５１ｂの外周面を当接することによって、レンズ部材５１の径方向の位置決めを行っている。
また、レンズ部材５１に光軸方向（図６において上下方向）において隣り合うプラスチックレンズ部材５２，５３は、その外周のフランジ部５２ｂ，５３ｂを中間環５５のそれぞれの端面に当接することで、光軸方向の位置決めを行っているとともに、フランジ部５２ｂ，５３ｂの外周面を鏡筒１の内周面に当接することで、径方向の位置決めを行っている。
なお図６において、レンズ部材５１〜５３および中間環５５はハッチングを省略している。
【先行技術文献】
【特許文献】
【０００５】
【特許文献１】特開２０１３−２３１９９３
【発明の概要】
【発明が解決しようとする課題】
【０００６】
ところで、上述した従来のレンズユニットでは、レンズ部材５１に対して光軸方向に隣り合うレンズ部材５２，５３の光軸方向の位置決めは、当該レンズ部材５２，５３のフランジ部５２ｂ，５３ｂをそれぞれ中間環５５の端面に当接することによって行っているので、フランジ部５２ｂ，５３ｂおよび中間環５５の製造上や組立上の誤差が光軸方向において累積してしまい、光学性能の低下を招くという虞がある。
このためフランジ部５２ｂ，５３ｂおよび中間環５５の公差を厳しく管理する必要があり、その結果、レンズ部材５２，５３および中間環５５の製造上の自由度が低下するとともにコスト高になるという問題があった。
【０００７】
本発明は、前記事情に鑑みてなされたものであり、レンズ部材を光軸方向に重ねて配置する場合の累積誤差を軽減できるレンズユニットおよびカメラモジュールを提供することを目的とする。
【課題を解決するための手段】
【０００８】
前記課題を解決するために、本発明のレンズユニットは、光軸に沿って並べられた３個以上のレンズ部材と、これらレンズ部材が収容される鏡筒とを備えたレンズユニットであって、
前記レンズ部材として、外周部にそれぞれフランジ部を有する第１レンズ部材、第２レンズ部材および第３レンズ部材を備え、
前記第１レンズ部材に光軸方向において前記第２レンズ部材が隣り合い、この第２レンズ部材に光軸方向において前記第３レンズ部材が隣り合っており、
前記第１レンズ部材および前記第３レンズ部材は、それぞれの前記フランジ部の外周面が前記鏡筒の内周面に当接または圧接された状態で前記鏡筒に収容され、
前記第１レンズ部材は、前記第２レンズ部材の前記フランジ部が嵌合される嵌合部を備え、
前記第２レンズ部材の前記フランジ部が前記嵌合部に嵌合され、
前記第２レンズ部材の前記フランジ部は、前記第３レンズ部材によって前記嵌合部に押し付けられていることを特徴とする。
【０００９】
本発明においては、第２レンズ部材のフランジ部が第１レンズ部材の嵌合部に嵌合され、第２レンズ部材の前記フランジ部は第３レンズ部材によって前記嵌合部に押し付けられているので、従来と異なり第１レンズ部材のフランジ部と第３レンズ部材のフランジ部との間に中間環を設ける必要がない。このため、中間環の製造上や組立上の誤差を考慮することなく、第１レンズ部材、第２レンズ部材および第３レンズ部材を光軸方向において位置決めできる。したがって、従来に比してレンズ部材を光軸方向に重ねて配置する場合の累積誤差を軽減できる。
また、第１レンズ部材のフランジ部および第３レンズ部材のフランジ部が鏡筒の内周面に当接または圧接され、第２レンズ部材のフランジ部が第１レンズ部材の嵌合部に嵌合されているので、第１レンズ部材、第２レンズ部材および第３レンズ部材を径方向において位置決めできる。
【００１０】
また、本発明の前記構成において、前記嵌合部は、前記第２レンズ部材のフランジ部のフランジ面が設置される設置面と、前記第２レンズ部材の前記フランジ部の外周面が当接される当接面とを備えていることが好ましい。
【００１１】
このような構成によれば、設置面に第２レンズ部材のフランジ部のフランジ面が設置されるので、第２レンズ部材の光軸方向の位置決めを確実に行え、当接面に第２レンズ部材のフランジ部の外周面が当接されるので、第２レンズ部材の径方向の位置決めを確実に行える。
【００１２】
また、本発明の前記構成において、前記第２レンズ部材の前記フランジ部に、前記設置面、前記当接面および前記第３レンズ部材の前記フランジ部に接触しない凸部が設けられていてもよい。
【００１３】
このような構成によれば、第２レンズ部材がガラスモールドや樹脂モールドによって成形される場合に、金型に充填する材料のうちの余分な材料を、前記凸部を形成するために金型に形成された凹部に流し込むことができる。したがって、第２レンズ部材のフランジ部を仕様どおりに製造できる。
【００１４】
また、本発明の前記構成において、前記第３レンズ部材が前記第２レンズ部材の前記フランジ部に接触している接触部と、前記第２レンズ部材の前記フランジ部が前記嵌合部に接触している接触部とは、それらの少なくとも一部が前記光軸方向において重なっていることが好ましい。
【００１５】
このような構成によれば、前記両接触部の少なくとも一部が光軸方向において重なっているので、第２レンズ部材のフランジ部に第１レンズ部材の嵌合部および第３レンズ部材からせん断力が作用するのを抑制できる。このため、第２レンズ部材の位置ずれを抑制できるとともに第２レンズ部材のフランジ部の損傷を抑制できる。
【００１６】
また、本発明の前記構成において、前記第１レンズ部材の前記フランジ部と、前記第３レンズ部材の前記フランジ部との間に前記光軸方向において所定の隙間が設けられていることが好ましい。
【００１７】
このような構成によれば、隙間によって第１レンズ部材のフランジ部と第２レンズ部材のフランジ部とが当接することがないので、第２レンズ部材のフランジ部を、第３レンズ部材の突部によって第１レンズ部材の嵌合部に確実に押し付けることができる。このため、第２レンズ部材の光軸方向の位置決めを確実に行える。
【００１８】
本発明のカメラモジュールは、前記レンズユニットを備えていることを特徴とする。
このような構成によれば、上述のレンズユニットの作用効果をカメラモジュールで得ることができる。
【発明の効果】
【００１９】
本発明によれば、中間環の製造上や組立上の誤差を考慮することなく、第１レンズ部材、第２レンズ部材および第３レンズ部材を光軸方向において位置決めできるので、従来に比してレンズ部材を光軸方向に重ねて配置する場合の累積誤差を軽減できる。
【図面の簡単な説明】
【００２０】
【図１】本発明の第１の実施の形態に係るレンズユニットを示す概略断面図である。
【図２】図１における要部の拡大図である。
【図３】本発明の第１の実施の形態に係るカメラモジュールを示す概略断面図である。
【図４】本発明の第２の実施の形態に係るレンズユニットを示す概略断面図である。
【図５】本発明の第３の実施の形態に係るレンズユニットを示す概略断面図である。
【図６】従来のレンズユニットの要部を示す概略断面図である。
【発明を実施するための形態】
【００２１】
以下、図面を参照しながら本発明の実施の形態について説明する。
本実施の形態のレンズユニットは、車載カメラ等のカメラモジュール用のものであり、例えば、自動車の外表面側に固定して設置され、配線は自動車内に引き込まれてディスプレイやその他の装置に接続される。
なお、図１〜図５において複数のレンズ部材についてはハッチングを省略するとともに、それらの一部を破断している
【００２２】
（第１の実施の形態）
図１は第１の実施の形態を示す。第１の実施の形態のレンズユニット２０は、段付きの円筒状の鏡筒１と、鏡筒１内に配置される複数（７枚）のレンズ部材２〜８からなるレンズ群９と、鏡筒１のレンズ部材２〜８が像を結ぶ側（像面側）の端部に配置される光学フィルタ１０と、レンズ群９中に配置される絞り部材１２，１３とを備えている。
【００２３】
鏡筒１に固定されて支持されている複数のレンズ部材２〜８は、それぞれの光軸を一致させた状態に配置されており、１つの光軸に沿って各レンズ部材２〜８が並べられた状態となって、撮像に用いられる１群のレンズ群９を構成している。したがって、以下に単に光軸と記載した場合には、各レンズ部材２〜８の光軸を示すとともにレンズ群９の光軸を示している。
【００２４】
鏡筒１は、両端開口の段付きの筒状部材であり、物体側の端部に開口部２１を有し、かつ、像面側の端部に開口部２２を有している。また、鏡筒１の像面側の端部には、開口部２２を狭めるように形成された縮径部２３ａを有しており、縮径部２３ａの内周面は、絞り機能を果たす形状に形成されている。なお、像面側の開口部２２は、物体側の開口部２１よりも狭められている。
また、鏡筒１は、円筒状の鏡筒本体部１ａと、この鏡筒本体部１ａと同軸かつ鏡筒本体部１ａより小径の小径筒部１ｂとを備え、鏡筒本体部１ａと小径筒部１ｂとの間にはこれらを繋ぐ環状部１ｃが設けられている。また、鏡筒本体部１ａ、小径筒部１ｂおよび環状部１ｃは一体的に形成されている。
【００２５】
鏡筒本体部１ａは、レンズ群９を構成する複数のレンズ部材２〜８のうち、レンズ部材２〜５が収容されるものである。
レンズ部材２〜５のうち、レンズ部材３は鏡筒本体部１ａ内に挿入されたうえで、当該レンズ部材３のフランジ部３ｂの下面がレンズ部材４に当接されるとともにフランジ部３ｂの外周面が鏡筒本体部１ａの内周面に当接されている。これによって、レンズ部材３はその光軸方向および径方向の位置決めがなされている。
【００２６】
レンズ部材２は、物体側に最も近い位置の物体側レンズであり、その下面がレンズ部材３のフランジ部３ｂの上面に絞り部材１２を介して当接され、フランジ部２ｂの上側の外周面が鏡筒本体部１ａの物体側の開口部の内周面に当接されている。これによって、レンズ部材３はその光軸方向および径方向の位置決めがなされている。
また、絞り部材１２は、鏡筒本体部１ａの内周面まで延出されて、当該内周面に当接され、さらに絞り部材１２の外周縁部の下面は受け面２３に当接されている。また、絞り部材１２はレンズ部材２と、このレンズ部材２に光軸方向において隣り合うレンズ部材３とによって挟持されている。
また、レンズ部材２のフランジ部２ｂの下側の外周面と鏡筒本体部１ａの物体側の開口部２１の内周面との間にはリング状のシール部材３０が介挿されている。
【００２７】
また、レンズ部材４はその有効径より外側の上面が、レンズ部材３の下面に当接されているが、フランジ部４ｂと鏡筒本体部１ａの内周面との間には所定の隙間が設けられている。
また、レンズ部材５はその有効径より外側の上面が、レンズ部材４の有効径より外側の下面に絞り部材１３を介して当接されているが、フランジ部５ｂと鏡筒本体部１ａの内周面との間には所定の隙間が設けられている。
そして、光軸方向において隣り合うレンズ部材４，５はそれらの外周縁部のフランジ部４ｂ，５ｂどうしの嵌合によって一体化され、さらにレンズ部材６が一体化されて、一体化レンズ部材３４となっている。
また、フランジ部４ｂ，５ｂどうしの嵌合部２５より内側に前記絞り部材１３が設けられている。絞り部材１３の内周縁はレンズ部材５の有効径より若干内側に位置しており、外周縁は嵌合部２５の内周縁まで延出されている。
【００２８】
また、小径筒部１ｂの内周縁には、像面側ほど縮径するような円錐状の傾斜面３３が形成されており、この傾斜面３３の下端縁が小径筒部１ｂの内周面に繋がっている。この傾斜面３３は、組立時に一体化レンズ部材３４のレンズ部材６を小径筒部１ｂに挿入する際のガイドとしての機能を有する。
小径筒部１ｂには、レンズ部材６〜８が収容されている。レンズ部材６のフランジ部６ｂが前記レンズ部材５に嵌合されることにより、一体化レンズ部材３４全体の光軸直交方向（径方向）の位置決めがなされている。
すなわち、レンズ部材５のフランジ部５ｂ下面側には、断面Ｌ形の凹部５ｅが環状に設けられており、レンズ部材６のフランジ部６ｂの上面側には断面凸形の凸部６ｃが環状に設けられている。凹部５ｅの内側面と凸部６ｃの内側面は円錐面の一部であり、レンズ部材５，６を重ねる際に当該２つの円錐面により光軸直交方向の位置決めが互いになされるようになっている。そして、凹部５ｅの内側面と凸部６ｃの内側面とが密接する部分が嵌合部２６となっており、この嵌合部２６によって、フランジ部５ｂ，６ｂが嵌合されている。
これによって、レンズ部材５，６は一体化されている。上述したように、レンズ部材４，５は一体化されているので、レンズ部材４〜６が一体化されて一体化レンズ部材３４となっている。
なお、レンズ部材４〜６はフランジ部の嵌合によって一体化されるとともに、嵌合面どうしは接着剤によって接着されている。
【００２９】
また、小径筒部１ｂには、前記縮径部２３ａの上面に受け面３５が設けられており、この受け面３５にレンズ部材８のフランジ部８ｂの下面が当接されて、光軸方向の位置決めの基準面となっている。したがって、レンズ部材８はそのフランジ部８ｂの下面が受け面３５に当接されることによって、光軸方向の位置決めがなされている。
小径筒部１ｂには、レンズ部材８，７，６が収容されているが、以下の説明ではレンズ部材８を第１レンズ部材８、レンズ部材７を第２レンズ部材７、レンズ部材６を第３レンズ部材６とする。
第１レンズ部材８はその外周部にフランジ部８ｂを備え、第２レンズ部材７はその外周部にフランジ部７ｂを備え、第３レンズ部材６はその外周部にフランジ部６ｂを備えている。
【００３０】
第１レンズ部材８および第３レンズ部材６は樹脂モールドによって成形された樹脂レンズであり、第２レンズ部材７はガラスモールドによって成形されたガラスレンズである。第１レンズ部材８に光軸方向において第２レンズ部材７が隣り合い、この第２レンズ部材７に光軸方向において第３レンズ部材６が隣り合っている。なお、第１レンズ部材８、第２レンズ部材７、第３レンズ部材６は像面側（図１において下側）からこの順で配置されて、それらの光軸は同軸となっている。
また、第１レンズ部材８および第３レンズ部材６はそれぞれのフランジ部８ｂ，６ｂの外周面が小径筒部１ｂの内周面に当接または圧接された状態で当該小径筒部１ｂに収容されている。これによって、第１レンズ部材８および第３レンズ部材６の径方向の位置決めがなれている。
なお、第１レンズ部材８の外径は第３レンズ部材６の外径より小径となっているため、第１レンズ部材８の略下半分が収容される小径筒部１ｂの内周面は、第３レンズ部材６が収容される小径筒部１ｂの内周面より小径となっている。
【００３１】
また、第１レンズ部材８は、第２レンズ部材７の像側面の凸レンズ形状が収容される物体側レンズ面をも構成する凹部８０と第２レンズ部材７のフランジ部７ｂが嵌合される嵌合部８１とを備えている。
凹部８０の内面は断面視において凹曲面状に形成されており、当該凹部８０に第２レンズ部材７の像面側のレンズ面７０が収容されている。このレンズ面７０と凹部８０の内面は接触せず、これらの間には隙間が設けられている。
嵌合部８１は、第２図に示すように、第２レンズ部材７のフランジ部７ｂのフランジ面７ｃが設置される設置面８１ａと、第２レンズ部材７のフランジ部７ｂの外周面７ｄが当接される当接面８１ｂとを備えている。なお、この外周面７ｄはフランジ部７ｂの外周部のうち、光軸Ｏ（図１参照）から径方向に最も離れた位置にある面である。
【００３２】
設置面８１ａは光軸を中心とする環状な平坦面であり、当該設置面８１ａは、光軸側（図２において左側）に向かうほど像面側（図２において下側）に向けて傾斜しており、この傾斜角度θは３°〜５°に設定されている。そして、この設置面８１ａに第２レンズ部材７のフランジ部７ｂのフランジ面７ｃが設置されている。これによって、第２レンズ部材７は小径筒部１ｂ（図１参照）の中心側に導かれ、当該レンズ部材７の光軸が小径筒部１ｂ（鏡筒１）の軸と一致するようになっている。
【００３３】
当接面８１ｂは、設置面８１ａの外周縁から物体側（図２において上側）に向かうほど拡径するような円錐台面状に形成されている。一方、第２レンズ部材７のフランジ部７ｂの外周面７ｄは、当接面８１ｂと対応する円錐台面状に形成されており、この外周面７ｄが当接面８１ｂに当接または圧接されている。これによってレンズ部材７の径方向の位置決めがなされている。
【００３４】
また、フランジ部７ｂの上面には凸部７ｅが環状に、かつ、設置面８１ａ、当接面８１ｂおよび第３レンズ部材６のフランジ部６ｂに干渉、接触しないようにして形成されている。
この凸部７ｅは、第２レンズ部材７をガラスモールドによって成形する際に第２レンズ部材７と一体的に形成されている。第２レンズ部材７を成形するための金型には、凸部７ｅを形成するための凹部が環状に形成されており、成形の際に金型に充填するガラス材料のうちの余分なガラス材料が凹部に流入することによって、フランジ部７ｂの上面に凸部７ｅが形成されている。金型には、後述する突部６ｄと設置面８１ａとが当接する部分のフランジ部７ｂの厚さが仕様どおりにとなり、かつ外周面７ｄが仕様どおりに当接面８１ｂに当接するに十分な量のガラス材料が充填され、余分なガラス材料によって凸部７ｅが形成されている。なお、図２に示される凸部７ｅはガラスモールドの金型全体に充満した場合の最大の場合をしめすものであり、実際は図示より小さくあるいは凸部７ｅが形成されず平坦となる場合もある。
なお、凸部７ｅはレンズ部材７の上面側のレンズ面７ｍ１および下面側のレンズ面７ｍ２のうち、曲率が大きいレンズ面７ｍ１側のフランジ部７ｂのフランジ面（上面）に形成するのが好ましいので、本実施の形態ではフランジ部７ｂの上面に凸部７ｅを形成したが、逆にレンズ部材７の下面側のレンズ面７ｍ２の方が上面側のレンズ面７ｍ１の曲率より大きい場合、凸部７ｅはフランジ部７ｂの下面（フランジ面）７ｃに形成するのが好ましい。この場合、設置面８１ａに凸部７ｅが設置面８１ａに干渉しないように当該設置面８１ａに凸部７ｅを逃がすための逃がし溝を設ける必要がある。
【００３５】
また、図１および図２に示すように、第３レンズ部材６は第２レンズ部材７のフランジ部７ｂ側に向けて突出する突部６ｄを備えている。この突部６ｄは環状に形成されており、その先端面（図１および図２において下端面）によって、フランジ部７ｂは嵌合部８１に押し付けられている。フランジ部７ｂが嵌合部８１に押し付けられることによって、フランジ部７ｂのフランジ面７ｃが設置面８１ａに押し付けられ、フランジ部７ｂの外周面７ｄが当接面８１ｂに押し付けられている。
これによって、第２レンズ部材７のフランジ部７ｂのフランジ面７ａが嵌合部８１の設置面８１ａに隙間なく密接するとともに、前記フランジ部７ｂの外周面７ｄが当接面８１ｂに隙間なく密接するので、第２レンズ部材７の光軸方向および径方向の位置決めがなされる。
また、第１レンズ部材８のフランジ部８ｂと、第３レンズ部材６のフランジ部６ｂとの間に光軸方向において所定の隙間が設けられている。
【００３６】
また、図２に示すように、第３レンズ部材６の突部６ｄが第２レンズ部材７のフランジ部７ｂの上面に接触している接触部Ｓ１と、第２レンズ部材７のフランジ部７ｂの下面（フランジ面）７ｃが嵌合部８１の設置面８１ａに接触している接触部Ｓ２とは、それらの一部が光軸方向において重なっている。具体的には、接触部Ｓ１のレンズ部材７における内径側の縁は、接触部Ｓ２のレンズ部材７における内径側の縁より径方向内側に位置しており、接触部Ｓ１のレンズ部材７における外径側の縁は、接触部Ｓ２のレンズ部材７における外径側の縁より径方向内側に位置している。
このように、接触部Ｓ１と接触部Ｓ２とは、それらの一部が光軸方向において重なっているので、第２レンズ部材７のフランジ部７ｂに、第１レンズ部材８の嵌合部８１の設置面８１ａおよび第３レンズ部材６の突部６ｄからせん断力が作用するのを抑制できる。
【００３７】
レンズ部材２〜８を鏡筒１に収容する場合、鏡筒１の物体側の開口部２１にから第１レンズ部材８を挿入し、小径筒部１ｂに圧入することによって、フランジ部８ｂの外周面を小径筒部１ｂの内周面に圧接するとともにフランジ部８ｂの下面を前記受け面３５に当接して設置する。
次に、第２レンズ部材７を鏡筒１に挿入してそのフランジ部７ｂのフランジ面７ｃを嵌合部８１の設置面８１ａに設置した後、レンズ部材４〜６を一体化してなる一体化レンズ部材３４を鏡筒１に挿入して、第３レンズ部材６の突部６ｄによって第２レンズ部材７のフランジ部７ｂを第１レンズ部材８の嵌合部８１に押し付けるとともに、第３レンズ部材６を小径筒部１ｂに圧入することによって、フランジ部６ｂの外周面を小径筒部１ｂの内周面に圧接する。
このようにして、レンズ部材８〜６を鏡筒１の小径筒部１ｂに圧入することによって、レンズ部材８〜６の光軸方向および径方向の位置決めがなされる。また、レンズ部材５，４はレンズ部材６と一体化しているため、レンズ部材５，４も光軸方向および径方向の位置決めがなされる。また、絞り部材１３は一体化レンズ部材３４のレンズ部材４，５によって挟み付けられているので、この絞り部材１３も光軸方向および径方向の位置決めがなされる。
【００３８】
次に、レンズ部材３を鏡筒１に圧入してそのフランジ部３ｂを鏡筒１の内周面に圧接するともにフランジ部３ｂの下面をレンズ部材４に押し付ける。次に、絞り部材１２を鏡筒１に挿入した後、レンズ部材２を鏡筒１に圧入したうえで、鏡筒１の物体側の開口縁部を熱カシメによってカシメてなるカシメ部１ｋによって、レンズ部材２を固定する。
このようにして、レンズ部材２〜８の光軸方向および径方向の位置決めがなされる。
【００３９】
図３は、本実施の形態のカメラモジュール３００の概略断面図である。図３に示すように、カメラモジュール３００は、フィルタ１０が装着されたレンズユニット２０を含んで構成されている。すなわち、カメラモジュール３００は、外装部品である上ケース（カメラケース）３０１と、レンズユニット２０を保持するマウント（フランジ、台座）３０２とを備えている。また、カメラモジュール３００は、シール部材３０３およびパッケージセンサ（撮像素子）３０４を備えている。
【００４０】
上ケース３０１は、レンズユニット２０の開口部２１側の端部を露出させるとともに他の部分を覆う部材である。マウント３０２は、上ケース３０１の内部に配置されており、レンズユニット２０の雄ねじ３６と螺合する雌ねじ３０２ａを有する。シール部材３０３は、上ケース３０１の内面とレンズユニット２０の鏡筒１の外周面との間に介挿された部材であり、上ケース３０１の内部の気密性を保持するための部材である。
【００４１】
パッケージセンサ３０４は、上ケース３０１の内部に配置されており、かつ、レンズユニット２０により形成された物体の像を受光する位置に配置されている。また、パッケージセンサ３０４は、ＣＣＤやＣＭＯＳ等を備えており、レンズユニット２０を通じて集光して到達した光を電気信号に変換する。変換された電気信号はカメラにより撮影された画像データの構成要素であるアナログデータやデジタルデータに変換される。
【００４２】
以上のように本実施の形態によれば、第２レンズ部材７は、その少なくとも一部が第１レンズ部材８の凹部８０に収容されるとともにそのフランジ部７ｂが第１レンズ部材８の嵌合部８１に嵌合され、第２レンズ部材７のフランジ部７ｂは、第３レンズ部材６の突部６ｄによって嵌合部８１に押し付けられているので、従来と異なり第１レンズ部材８のフランジ部８ｂと第３レンズ部材６のフランジ部６ｂとの間に中間環を設ける必要がない。このため、中間環の製造上や組立上の誤差を考慮することなく、第１レンズ部材８、第２レンズ部材７および第３レンズ部材６を光軸方向において位置決めできる。したがって、従来に比してレンズ部材６〜８を光軸方向に重ねて配置する場合の累積誤差を軽減できる。
また、第１レンズ部材８のフランジ部８ｂおよび第３レンズ部材６のフランジ部６ｂが鏡筒１の小径筒部１ｂの内周面に当接または圧接され、第２レンズ部材７のフランジ部７ｂが第１レンズ部材８の嵌合部８１に嵌合されているので、第１レンズ部材８、第２レンズ部材７および第３レンズ部材６を径方向において位置決めできる。
【００４３】
また、第１レンズ部材８の嵌合部８１は、設置面８１ａと当接面８１ｂとを備え、設置面８１ａに第２レンズ部材７のフランジ部７ｂのフランジ面７ｃが設置されるので、第２レンズ部材７の光軸方向の位置決めを確実に行え、当接面８１ｂに第２レンズ部材７のフランジ部７ｂの外周面７ｄが当接されるので、第２レンズ部材７の径方向の位置決めを確実に行える。
さらに、第２レンズ部材７のフランジ部７ｂの上面に、設置面８１ａ、当接面８１ｂおよび第３レンズ部材６のフランジ部６ｂに接触しない凸部７ｅが設けられているので、第２レンズ部材２をガラスモールドによって成形する場合に、金型に充填するガラス材料のうちの余分なガラス材料を、凸部７ｅを形成するために金型に形成された凹部に流し込むことができる。したがって、第２レンズ部材７のフランジ部７ｂを仕様どおりに製造できる。
【００４４】
また、第３レンズ部材６の突部６ｄが第２レンズ部材７のフランジ部７ｂに接触している接触部Ｓ１と、第２レンズ部材７のフランジ部７ｂが嵌合部８１の設置面８１ａに接触している接触部Ｓ２とは、それらの少なくとも一部が前記光軸方向において重なっているので、第２レンズ部材７のフランジ部７ｂに、第１レンズ部材８の嵌合部８１の設置面８１ａおよび第３レンズ部材６の突部６ｄからせん断力が作用するのを抑制できる。このため、第２レンズ部材７の位置ずれ（第２レンズ部材７の光軸が鏡筒１の軸に対して傾斜することによる位置ずれや第２レンズ部材７の光軸方向および径方向への位置ずれ）を抑制できるとともに、フランジ部７ｂの損傷を抑制できる。
【００４５】
また、第１レンズ部材８のフランジ部８ｂと、第３レンズ部材６のフランジ部６ｂとの間に光軸方向において所定の隙間が設けられているので、フランジ部８ｂとフランジ部６ｂとが当接することがない。このため、第２レンズ部材７のフランジ部７ｂを、第３レンズ部材６の突部６ｄによって第１レンズ部材８の嵌合部８１の設置面８１ａに確実に押し付けることができる。このため、第２レンズ部材７の光軸方向の位置決めを確実に行える。
さらに、鏡筒１が鏡筒本体部１ａと小径筒部１ｂとを備えているので、鏡筒１を光軸方向において同径した場合に比して、鏡筒１の小型化を図ることができる。
また、カメラモジュール３００は、レンズユニット２０を備えているので、上述のレンズユニット２０の作用効果をカメラモジュール３００で得ることができる。
【００４６】
（第２の実施の形態）
図４は第２の実施の形態を示す。第２の実施の形態のレンズユニット２０Ａが、第１の実施の形態のレンズユニット２０と主に異なる点は、鏡筒１Ａの形状およびレンズ部材３Ａ〜５Ａの形状であるので、以下ではこの相違点について説明し、第１の実施の形態のレンズユニット２０と同様の構成には同一符号を付してその説明を省略ないし簡略化する。
【００４７】
レンズユニット２０Ａの鏡筒１Ａは円筒状に形成されており、像面側（図４において下側）に向かうにつれて段階的に小径となる３つの筒状部１ｄ，１ｅ，１ｆを備えている。
また、レンズ部材３Ａはレンズユニット２０のレンズ部材３より小径となっており、このレンズ部材３Ａのフランジ部が筒状部１ｄの内周面に当接または圧接されている。
レンズ部材４Ａはレンズユニット２０のレンズ部材４より小径でかつ光軸方向の長さが長くなっており、このレンズ部材４Ａのフランジ部が筒状部１ｅの内周面に当接または圧接されている。
レンズ部材５Ａはレンズユニット２０のレンズ部材５より小径となっているとともに、レンズ部材４Ａに嵌合しているのではなく、当該レンズ部材４Ａに絞り部材１３を挟んで当接されている。また、レンズ部材５Ａのフランジ部５ｂは筒状部１ｅの内周面に当接または圧接されている。これによってレンズ部材５Ａの径方向の位置決めがなされている。
【００４８】
第１レンズ部材８、第２レンズ部材７および第３レンズ部材６はレンズユニット２０のそれらと同様の構成となっているが、本実施の形態では、第３レンズ部材６のフランジ部６ｂは鏡筒１Ａの筒状部１ｆの内周面に当接または圧接していない。
しかし、レンズ部材５Ａとレンズ部材６とは嵌合部２６によってフランジ部５ｂ，６ｂが嵌合されることによって、一体化されている。したがって、この一体化されたレンズ部材を第３レンズ部材６Ａとすることによって、レンズ部材６の径方向の位置決めがなされている。
本実施の形態によれば、上述した第１の実施の形態と同様の効果を得ることができる。
【００４９】
なお、第１および第２の実施の形態では、レンズユニット２０，２０Ａのレンズ群９のレンズ部材の枚数が７枚であるが、本発明では７枚に限定されるものではなく、それ以下であってもそれ以上であってもよいが、光軸に沿って並べられた３個以上のレンズ部材６〜８を備える必要がある。
また、第１および第２の実施の形態では、本発明に係る第１〜第３レンズ部材として、第１レンズ部材を最も像面側に位置するレンズ部材８を第１レンズ部材としたが、第１レンズ部材は最も像面側に位置するレンズ部材８に限ることはない。例えば、複数のレンズ部材を有するレンズ群のうち所定の位置にあるレンズ部材を第１レンズ部材とし、この第１レンズ部材に光軸方向において第２レンズ部材が隣り合い、この第２レンズ部材に光軸方向において第３レンズ部材が隣り合っていればよい。
【００５０】
（第３の実施の形態）
図５は第３の実施の形態を示す。第３の実施の形態のレンズユニット２０Ｂが、第２の実施の形態のレンズユニット２０Ａと主に異なる点は、鏡筒１Ｂの形状、レンズ部材４Ｂ，５Ｂ，８Ｂの形状、鏡筒１Ｂに収容するレンズ部材の枚数であるので、以下ではこの相違点について説明し、第２の実施の形態のレンズユニット２０Ａと同様の構成には同一符号を付してその説明を省略ないし簡略化する。
また、以下の説明では、レンズ部材８Ｂを第１レンズ部材８Ｂ，レンズ部材５Ｂを第２レンズ部材５Ｂ、レンズ部材４Ｂを第３レンズ部材４Ｂとする。
【００５１】
レンズユニット２０Ｂの鏡筒１Ｂは円筒状に形成されており、像面側（図５において下側）に向かうにつれて段階的に小径となる３つの筒状部１ｇ，１ｈ，１ｉを備えている。このような鏡筒１Ｂに５枚のレンズ部材２，３Ａ，４Ｂ，５Ｂ，８Ｂがそれぞれの光軸を一致させた状態で鏡筒１Ｂと同軸に配置されている。また、鏡筒１Ｂはレンズユニット２０Ａの鏡筒１Ａより光軸方向の長さが短くなっている。
レンズ部材３Ａはそのフランジ部を筒状部１ｇの像面側（図５において下側）の内周面に当接または圧接した状態で筒状部１ｇおよび筒状部１ｈの上部側に収容されている。これによって、レンズ部材３Ａの径方向の位置決めがなされている。
第３レンズ部材４Ｂはレンズユニット２０Ａのレンズ部材４Ａより光軸方向の長さが短くなっているとともに、フランジ部４ｄの外周面が円筒面となっている。そして、第３レンズ部材４Ｂはそのフランジ部４ｄの外周面を筒状部１ｈの内周面に当接または圧接した状態で筒状部１ｈに収容されている。これによって、第３レンズ部材４Ｂの径方向の位置決めがなされている。また、第３レンズ部材４Ｂとレンズ部材３Ａとによって絞り部材１２Ｂが挟み付けられ、第３レンズ部材４Ｂとレンズ部材３Ａとは絞り部材１２Ｂを介して互いに当接されている。
【００５２】
第２レンズ部材５Ｂは筒状部１ｉに収容されるとともに、第３レンズ部材４Ｂに絞り部材１３Ｂを介して互いに当接され、当該絞り部材１３Ｂは第３レンズ部材４Ｂと第２レンズ部材５Ｂとによって挟み付けられている。また、第２レンズ部材５Ｂは筒状部１ｉに収容されているが、フランジ部５ｄは筒状部１ｉの内周面に当接または圧接していない。つまりフランジ部５ｄと筒状部１ｉの内周面との間には隙間が設けられている。
また、第２レンズ部材５Ｂの下面には環状の平坦面であるフランジ面５ｇとこのフランジ面５ｇの内周縁から下方に傾斜して延びる円錐台面状の外周面５ｈが形成されている。
第１レンズ部材８Ｂは受け面３５に設置されるとともに、フランジ部８ｂが筒状部１ｉの内周面に当接または圧接されている。これによって、第１レンズ部材８Ｂは光軸方向と径方向の位置決めが行われている。また、第１レンズ部材８Ｂは筒状部１ｉに収容されている。
【００５３】
また、第１レンズ部材８Ｂは、第２レンズ部材５Ｂのフランジ部５ｄが嵌合される嵌合部８５を備えており、第２レンズ部材５Ｂのフランジ部５ｄは第３レンズ部材４Ｂによって嵌合部８５に押し付けられている。
嵌合部８５は、フランジ部５ｄのフランジ面５ｇが設置される設置面８５ａと、フランジ部５ｄの外周面５ｈが当接される当接面８５ｂとを備えている。
設置面８５ａは光軸を中心とする環状な平坦面であり、この設置面８５ａに第２レンズ部材５Ｂのフランジ部７ｂのフランジ面５ｇが設置されている。
当接面８５ｂは、設置面８５ａの内周縁から像面側（図２において下側）に向かうほど縮径するような円錐台面状に形成されている。この当接面８５ｂにフランジ部５ｄの外周面５ｈが当接または圧接されている。これによって、第２レンズ部材５Ｂの径方向の位置決めがなされている。
そして、第２レンズ部材５Ｂのフランジ部５ｄが第３レンズ部材４Ｂによって嵌合部８５に押し付けられることによって、第２レンズ部材５Ｂのフランジ部５ｄのフランジ面５ｇが嵌合部８５の設置面８５ａに隙間なく密接するとともに、前記フランジ部５ｄの外周面５ｈが当接面８５ｂに隙間なく密接するので、第２レンズ部材５Ｂの光軸方向および径方向の位置決めがなされる。
また、第１レンズ部材８Ｂのフランジ部８ｂと、第３レンズ部材５Ｂのフランジ部５ｄとの間に光軸方向において所定の隙間が設けられている。
【００５４】
また、第３レンズ部材４Ｂが第２レンズ部材５Ｂのフランジ部５ｄの上面に接触している接触部Ｓ１と、第２レンズ部材５Ｂのフランジ部５ｄの下面（フランジ面）５ｇが嵌合部８５の設置面８５ａに接触している接触部Ｓ２とは、それらの一部が光軸方向において重なっている。このように、接触部Ｓ１と接触部Ｓ２とは、それらの一部が光軸方向において重なっているので、第２レンズ部材７のフランジ部７ｂに、第１レンズ部材８の嵌合部８１の設置面８１ａおよび第３レンズ部材６の突部６ｄからせん断力が作用するのを抑制できる。このため、第２レンズ部材５Ｂの位置ずれ（第２レンズ部材５Ｂの光軸が鏡筒１Ｂの軸に対して傾斜することによる位置ずれや第２レンズ部材５Ｂの光軸方向および径方向への位置ずれ）を抑制できるとともに、フランジ部５ｄの損傷を抑制できる。
【００５５】
本実施の形態によれば、第１および第２の実施の形態と同様に、第２レンズ部材５Ｂのフランジ部５ｄが第１レンズ部材８Ｂの嵌合部８５に嵌合され、第２レンズ部材５Ｂのフランジ部５ｄは第３レンズ部材４Ｂによって嵌合部８５に押し付けられているので、従来と異なり第１レンズ部材８Ｂのフランジ部８ｂと第３レンズ部材４Ｂのフランジ部４ｄとの間に中間環を設ける必要がない。このため、中間環の製造上や組立上の誤差を考慮することなく、第１レンズ部材８Ｂ、第２レンズ部材５Ｂおよび第３レンズ部材４Ｂを光軸方向において位置決めできる。したがって、従来に比してレンズ部材８Ｂ，５Ｂ，４Ｂを光軸方向に重ねて配置する場合の累積誤差を軽減できる。
また、第１レンズ部材８Ｂのフランジ部８ｂおよび第３レンズ部材４Ｂのフランジ部４ｄが鏡筒１Ｂの内周面に当接または圧接され、第２レンズ部材５Ｂのフランジ部５ｄが第１レンズ部材８Ｂの嵌合部８５に嵌合されているので、第１レンズ部材８Ｂ、第２レンズ部材５Ｂおよび第３レンズ部材４Ｂを径方向において位置決めできる。
【００５６】
また、第１レンズ部材８Ｂの嵌合部８５は、設置面８５ａと当接面８５ｂとを備え、設置面８５ａに第２レンズ部材５Ｂのフランジ部５ｄのフランジ面５ｇが設置されるので、第２レンズ部材５Ｂの光軸方向の位置決めを確実に行え、当接面８５ｂに第２レンズ部材５Ｂのフランジ部５ｄの外周面５ｈが当接されるので、第２レンズ部材５Ｂの径方向の位置決めを確実に行える。
さらに、第１レンズ部材８Ｂのフランジ部８ｂと、第３レンズ部材４Ｂのフランジ部４ｄとの間に光軸方向において所定の隙間が設けられているので、フランジ部８ｂとフランジ部４ｄとが当接することがない。このため、第２レンズ部材５Ｂのフランジ部５ｄを、第３レンズ部材４Ｂによって第１レンズ部材８Ｂの嵌合部８５の設置面８５ａに確実に押し付けることができる。このため、第２レンズ部材５Ｂの光軸方向の位置決めを確実に行える。
【００５７】
なお、第３の実施の形態では、レンズユニット２０Ｂのレンズ部材の枚数は５枚であるが、本発明ではこれ限定されるものではなく、それ以下であってもそれ以上であってもよいが、光軸に沿って並べられた３個以上のレンズ部材４Ｂ，５Ｂ，８Ｂを備える必要がある。
また、第３実施の形態では、本発明に係る第１〜第３レンズ部材として、第１レンズ部材を最も像面側に位置するレンズ部材８Ｂを第１レンズ部材としたが、第１レンズ部材は最も像面側に位置するレンズ部材８Ｂに限ることはない。例えば、複数のレンズ部材を有するレンズ群のうち所定の位置にあるレンズ部材を第１レンズ部材とし、この第１レンズ部材に光軸方向において第２レンズ部材が隣り合い、この第２レンズ部材に光軸方向において第３レンズ部材が隣り合っていればよい。
また、第１の実施の形態におけるカメラモジュールに他に、第２の実施の形態のレンズユニット２０Ａまたは第３の実施の形態のレンズユニット２０Ｂを備えたカメラモジュールを得ることもできる。
【符号の説明】
【００５８】
１，１Ａ，１Ｂ  鏡筒
６，６Ａ，４Ｂ  第３レンズ部材
６ｂ，４ｄ  フランジ部
７，５Ｂ  第２レンズ部材
７ｂ，５ｄ  フランジ部
８，８Ｂ  第１レンズ部材
８ｂ  フランジ部
２０，２０Ａ，２０Ｂ  レンズユニット
８１，８５  嵌合部
８１ａ，８５ａ  設置面
８１ｂ，８５ｂ  当接面
３００  カメラモジュール
Ｏ  光軸
Ｓ１，Ｓ２  接触部
【図１】
2018197820.tif 000003
【図２】
2018197820.tif 000004
【図３】
2018197820.tif 000005
【図４】
2018197820.tif 000006
【図５】
2018197820.tif 000007
【図６】
2018197820.tif 000008